(57)【要約】【課題】心身に係る項目についての点数の入力作業を効果的に継続できる心身状態管理装置を提供する。【解決手段】心身状態管理装置であるスマートフォン１は、タッチパネル式ディスプレイ１０に、情報保存部１３に記憶される心身に係る複数の項目に追加する項目が利用者によって入力され、制御部２０が、当該入力された項目を複数の項目に追加して情報保存部１３に記憶させる。また、タッチパネル式ディスプレイ１０に、情報保存部１３に記憶された複数の項目から削除する項目が利用者によって入力され、制御部２０が、入力された項目及びそれに対応する評価点数を項目記憶手段から削除する。【選択図】図２
2014225064.tif 000002
【特許請求の範囲】
【請求項１】
（ａ）心身に係る複数の項目が記憶される項目記憶手段と、（ｂ）前記複数の項目のそれぞれについての１日毎の評価点数が利用者により入力される評価点数入力手段と、（ｃ）前記評価点数入力手段に入力された前記評価点数を、それに対応する前記項目及び日付に関連づけて前記項目記憶手段に記憶させる評価点数記憶処理手段と、（ｄ）前記項目記憶手段に記憶された前記複数の項目及びそれらに対応した前記評価点数を所定の表示形式で表示する表示手段と、（ｅ）前記利用者により日付が入力される日付入力手段と、を備え、（ｆ）前記表示手段が、前記所定の表示形式として、前記複数の項目及び該項目に対応する前記日付入力手段に入力された日付に係る１日分の前記評価点数を表で表示する表表示形式、及び、前記複数の項目及び該項目に対応する前記日付入力手段に入力された日付に係る１日分の前記評価点数をレーダーチャートで表示するレーダーチャート表示形式、を少なくとも含むように構成された心身状態管理装置であって、
前記複数の項目に追加する項目が前記利用者により入力される追加項目入力手段と、
前記追加項目入力手段に入力された前記項目を前記複数の項目に追加して前記項目記憶手段に記憶させる項目追加処理手段と、
前記複数の項目から削除する項目が前記利用者により入力される削除項目入力手段と、
前記削除項目入力手段に入力された前記項目及びそれに対応する前記評価点数を前記項目記憶手段から削除する項目削除処理手段と、
を備えていることを特徴とする心身状態管理装置。
【請求項２】
前記複数の項目のうちの前記利用者によって選択された１つの項目についての新しい名称が当該利用者により入力される項目名称入力手段と、
前記項目記憶手段に記憶されている前記１つの項目の名称を、前記項目名称入力手段に入力された前記新しい名称に変更する項目名称変更処理手段と、
をさらに備えていることを特徴とする請求項１に記載の心身状態管理装置。
【請求項３】
前記利用者により前記複数の項目についての表示順序が入力される表示順序入力手段をさらに備え、
前記表示手段が、前記表表示形式及び前記レーダーチャート表示形式の少なくとも１つにおいて前記表示順序入力手段に入力された前記表示順序で前記複数の項目及び該項目に対応した評価点数を表示するように構成されていることを特徴とする請求項１又は２に記載の心身状態管理装置。
【請求項４】
前記表示手段が、前記評価点数入力手段への前記評価点数の入力に際して、前記複数の項目に対応したレーダーチャート座標を表示し、
前記評価点数入力手段が、前記利用者によって接触操作が入力された前記表示手段の前記レーダーチャート座標上の操作入力位置に基づいて前記複数の項目の前記評価点数が入力されるように構成されている
ことを特徴とする請求項１〜３のいずれか一項に記載の心身状態管理装置。
【請求項５】
前記複数の項目に対応する１日分の前記評価点数について所定の演算を行い、当該１日における総合評価を示す総合点数を算出する総合点数算出手段をさらに備え、
前記表示手段が、前記総合点数を表示するように構成されている
ことを特徴とする請求項１〜４のいずれか一項に記載の心身状態管理装置。
【請求項６】
前記表示手段が、前記表表示形式及び前記レーダーチャート表示形式のうちの少なくとも１つにおいて、前記総合点数を前記評価点数とともに表示するように構成されていることを特徴とする請求項５に記載の心身状態管理装置。
【請求項７】
前記表示手段が、前記総合評価に対応する前記総合点数又は当該総合点数及び前記複数の項目のうちの少なくとも１つの項目に対応する前記評価点数を、前記日付入力手段に入力された前記日付を含む所定期間について日付順にプロットしてそれぞれを結んだ折れ線グラフ表示形式で表示するように構成されていることを特徴とする請求項５又は６に記載の心身状態管理装置。
【請求項８】
前記表示手段が、前記表示形式のうちの２つ以上の表示形式を同時に表示するように構成されていることを特徴とする請求項１〜７のいずれか一項に記載の心身状態管理装置。
【請求項９】
任意の文章が記憶される文章記憶手段と、
前記利用者により文章が入力される文章入力手段と、
前記文章入力手段に入力された前記文章を日付に関連づけて前記文章記憶手段に記憶させる文章記憶処理手段と、をさらに備え、
前記表示手段が、前記表示形式の表示とともに、前記日付入力手段に入力された前記日付に対応して前記文章記憶手段に記憶された前記文章を表示するように構成されていることを特徴とする請求項１〜８のいずれか一項に記載の心身状態管理装置。
【発明の詳細な説明】
【技術分野】
【０００１】
本発明は、例えば、精神状態、体調及び行動などの心身に係る項目についての管理に用いられる心身状態管理装置に関する。
【背景技術】
【０００２】
近年、うつ病をはじめとする精神疾患と診断される患者が増加傾向にある。精神疾患は、専門医の下で治療を行うことが最も重要であるが、患者自身においても、病状を快復させるために生活習慣の改善やものごとの考え方の修正、ストレス解消などを行うことが重要である。
【０００３】
精神疾患の患者においては、調子のよい日と調子の悪い日とを長い周期で繰り返す傾向にある。そのため、日々の精神状態、体調及び行動などを継続して記録することは、患者本人において調子の傾向を知る上で大変重要な情報となり、病状快復の手がかりを見つけるための手段にもなり得るとともに、医師においても治療を行う上で大変重要な情報となり、治療方針の決定に役立てることができる。
【０００４】
このような精神状態、体調及び行動などの継続的な記録に応用可能な技術が、例えば、特許文献１、２に開示されている。
【０００５】
特許文献１に開示されている健康管理装置は、日常生活の状態を表す項目として「食事」、「気分」、「便通」、「睡眠」があらかじめ設定されており、被験者によって、これら各項目に対して５段階評価の点数が入力される。そして、健康管理装置は、これら項目に対応して入力された５段階評価の点数を記憶するとともに、これら各項目について日々の変化を示すグラフを表示して、これらグラフに基づいて、被験者の健康状態の評価が行われる。
【０００６】
また、特許文献２に開示されている、健康に向けての積極的な姿勢をとっているか否かを認識することを目的とした元気姿勢測定装置は、例えば、「食生活」、「呼吸」、「睡眠」、「体温調節」、「運動」、「心」、「性」、「環境」、「客観的検査データ」等の生体の機能状態を評価するための分類項目があらかじめ定められており、これら分類項目に対応して設定された質問に対するそれぞれの回答を指標化した回答値を取得して、これら回答値に基づいて、被験者における健康状態に向けての積極的、かつ前向きな姿勢を評価する。
【先行技術文献】
【特許文献】
【０００７】
【特許文献１】ＷＯ２００３／０３６５３９
【特許文献２】特許４９８９８８２号
【発明の概要】
【発明が解決しようとする課題】
【０００８】
これら特許文献１、２に開示された各装置では、健康に関連する項目についての点数や数値などを継続的に収集することにより、健康状態などの評価が可能となる。そして、これら装置においては客観的な評価を目的としているため、（ｉ）評価を行う者によりあらかじめ設定された項目についての数値、（ｉｉ）評価を行う者によりあらかじめ設定された質問についての回答、などを被験者は入力することになる。しかしながら、健康状態などの心身に係る項目に対する重要度や価値観は人によって異なるので、その人にとって重要度の低い項目や興味のない質問などがあらかじめ設定されていた場合、それら項目や質問への入力作業に対する気力（モチベーション）が低下して面倒になってしまい、そのため、健康状態を含む心身の状態に関連する項目についての点数や数値などを継続的に収集することが困難となってしまうという問題があった。特に、うつ病等の精神疾患患者などにおいては、継続的に心身の状態を把握して管理することで病状改善が期待できるが、このような患者は気分の浮き沈みが大きくなりがちであるため、上述した入力作業に対する気力の低下が顕著であり、このような気力の低下を抑制することが望まれる。
【０００９】
本発明は、かかる問題を解決することを目的としている。即ち、本発明は、心身に係る項目についての点数の入力作業を効果的に継続できる心身状態管理装置を提供することを目的としている。
【課題を解決するための手段】
【００１０】
請求項１に記載された発明は、上記目的を達成するために、（ａ）心身に係る複数の項目が記憶される項目記憶手段と、（ｂ）前記複数の項目のそれぞれについての１日毎の評価点数が利用者により入力される評価点数入力手段と、（ｃ）前記評価点数入力手段に入力された前記評価点数を、それに対応する前記項目及び日付に関連づけて前記項目記憶手段に記憶させる評価点数記憶処理手段と、（ｄ）前記項目記憶手段に記憶された前記複数の項目及びそれらに対応した前記評価点数を所定の表示形式で表示する表示手段と、（ｅ）前記利用者により日付が入力される日付入力手段と、を備え、（ｆ）前記表示手段が、前記所定の表示形式として、前記複数の項目及び該項目に対応する前記日付入力手段に入力された日付に係る１日分の前記評価点数を表で表示する表表示形式、及び、前記複数の項目及び該項目に対応する前記日付入力手段に入力された日付に係る１日分の前記評価点数をレーダーチャートで表示するレーダーチャート表示形式、を少なくとも含むように構成された心身状態管理装置であって、前記複数の項目に追加する項目が前記利用者により入力される追加項目入力手段と、前記追加項目入力手段に入力された前記項目を前記複数の項目に追加して前記項目記憶手段に記憶させる項目追加処理手段と、前記複数の項目から削除する項目が前記利用者により入力される削除項目入力手段と、前記削除項目入力手段に入力された前記項目及びそれに対応する前記評価点数を前記項目記憶手段から削除する項目削除処理手段と、を備えていることを特徴とする心身状態管理装置である。
【００１１】
請求項２に記載された発明は、請求項１に記載された発明において、前記複数の項目のうちの前記利用者によって選択された１つの項目についての新しい名称が当該利用者により入力される項目名称入力手段と、前記項目記憶手段に記憶されている前記１つの項目の名称を、前記項目名称入力手段に入力された前記新しい名称に変更する項目名称変更処理手段と、をさらに備えていることを特徴とするものである。
【００１２】
請求項３に記載された発明は、請求項１又は２に記載された発明において、前記利用者により前記複数の項目についての表示順序が入力される表示順序入力手段をさらに備え、前記表示手段が、前記表表示形式及び前記レーダーチャート表示形式の少なくとも１つにおいて前記表示順序入力手段に入力された前記表示順序で前記複数の項目及び該項目に対応した評価点数を表示するように構成されていることを特徴とするものである。
【００１３】
請求項４に記載された発明は、請求項１〜３のいずれか一項に記載された発明において、前記表示手段が、前記評価点数入力手段への前記評価点数の入力に際して、前記複数の項目に対応したレーダーチャート座標を表示し、前記評価点数入力手段が、前記利用者によって接触操作が入力された前記表示手段の前記レーダーチャート座標上の操作入力位置に基づいて前記複数の項目の前記評価点数が入力されるように構成されていることを特徴とするものである。
【００１４】
請求項５に記載された発明は、請求項１〜４のいずれか一項に記載された発明において、前記複数の項目に対応する１日分の前記評価点数について所定の演算を行い、当該１日における総合評価を示す総合点数を算出する総合点数算出手段をさらに備え、前記表示手段が、前記総合点数を表示するように構成されていることを特徴とするものである。
【００１５】
請求項６に記載された発明は、請求項５に記載された発明において、前記表示手段が、前記表表示形式及び前記レーダーチャート表示形式のうちの少なくとも１つにおいて、前記総合点数を前記評価点数とともに表示するように構成されていることを特徴とするものである。
【００１６】
請求項７に記載された発明は、請求項５又は６に記載された発明において、前記表示手段が、前記総合評価に対応する前記総合点数又は当該総合点数及び前記複数の項目のうちの少なくとも１つの項目に対応する前記評価点数を、前記日付入力手段に入力された前記日付を含む所定期間について日付順にプロットしてそれぞれを結んだ折れ線グラフ表示形式で表示するように構成されていることを特徴とするものである。
【００１７】
請求項８に記載された発明は、請求項１〜７のいずれか一項に記載された発明において、前記表示手段が、前記表示形式のうちの２つ以上の表示形式を同時に表示するように構成されていることを特徴とするものである。
【００１８】
請求項９に記載された発明は、請求項１〜８のいずれか一項に記載された発明において、任意の文章が記憶される文章記憶手段と、前記利用者により文章が入力される文章入力手段と、前記文章入力手段に入力された前記文章を日付に関連づけて前記文章記憶手段に記憶させる文章記憶処理手段と、をさらに備え、前記表示手段が、前記表示形式の表示とともに、前記日付入力手段に入力された前記日付に対応して前記文章記憶手段に記憶された前記文章を表示するように構成されていることを特徴とするものである。
【発明の効果】
【００１９】
請求項１に記載された発明によれば、追加項目入力手段に、項目記憶手段に記憶される複数の項目に追加する項目が利用者によって入力され、項目追加処理手段が、追加項目入力手段に入力された項目を複数の項目に追加して項目記憶手段に記憶させる。また、削除項目入力手段に、複数の項目から削除する項目が利用者によって入力され、項目削除処理手段が、削除項目入力手段に入力された項目及びそれに対応する評価点数を項目記憶手段から削除する。このようにしたことから、心身に係る項目のうち、利用者において重要と考える項目（重要度の高い項目）を自由に追加できるとともに、利用者において重要でないと考える項目（重要度の低い項目）を自由に削除できる。そのため、特許文献１、２のようにあらかじめ項目が固定されている場合は、利用者にとって不要と思われる項目が１つでも含まれていると、その項目は利用者にとって邪魔になってしまい、入力作業に対する気力が低下して面倒になってしまうが、本発明のように、利用者自身の好みで自由に項目の追加削除を可能とすることで、入力作業に対する気力の低下を抑制して、心身に係る項目についての点数の入力作業を効果的に継続できる。
【００２０】
請求項２に記載された発明によれば、項目名称入力手段に、複数の項目のうちの利用者によって選択された１つの項目についての新しい名称が当該利用者により入力され、項目名称変更処理手段が、項目記憶手段に記憶されている利用者によって選択された１つの項目の名称を、項目名称入力手段に入力された新しい名称に変更する。このようにしたことから、利用者において既存の項目の名称を自由に変更することができるので、例えば、利用者の好みや実際の行動などに応じて、「睡眠」を「熟睡感」、「運動」を「散歩」に変更するなど、利用者によって当該項目により適した名称に変更することができ、当該項目の意味をより明確に把握することができる。そのため、入力作業に対する気力の低下をさらに抑制して、心身に係る項目についての点数の入力作業をより効果的に継続できる。
【００２１】
請求項３に記載された発明によれば、利用者により複数の項目についての表示順序が入力される表示順序入力手段をさらに備え、表示手段が、表表示形式及びレーダーチャート表示形式の少なくとも１つにおいて表示順序入力手段に入力された表示順序で複数の項目及び該項目に対応した評価点数を表示するように構成されている。このようにしたことから、表表示形式及びレーダーチャート表示形式のうちの少なくとも１つにおいて自由に表示順序を変更することができるので、例えば、複数の項目を上から順に重要と思われる項目から並べたり、複数の項目のうち互いに関連性の高い項目を近づけて並べたりするなど、利用者の好みに応じて表示順序を変更することで、表示を見やすくすることができる。そのため、入力作業に対する気力の低下をさらに抑制して、心身に係る項目についての点数の入力作業をより効果的に継続できる。
【００２２】
請求項４に記載された発明によれば、表示手段が、評価点数入力手段への評価点数の入力に際して、複数の項目に対応したレーダーチャート座標を表示し、評価点数入力手段が、利用者によって接触操作が入力された表示手段のレーダーチャート座標上の操作入力位置に基づいて複数の項目の評価点数が入力されるように構成されている。このようにしたことから、利用者が、表示手段に表示されたレーダーチャートの座標を見ながら、当該表示手段に触って操作を入力することで、当該操作に応じた複数の項目の評価点数が入力されるので、入力作業が非常に容易になるとともに、レーダーチャートにおける各項目の全体的な傾向を把握しながら入力作業を行うことができる。そのため、入力作業に対する気力の低下をさらに抑制して、心身に係る項目についての点数の入力作業をより効果的に継続できる。
【００２３】
請求項５に記載された発明によれば、複数の項目に対応する１日分の評価点数について所定の演算を行い、当該１日における総合評価を示す総合点数を算出する総合点数算出手段をさらに備え、表示手段が、総合点数を表示するように構成されている。このようにしたことから、複数の項目の評価点数を１つ１つ確認することなく、１つの評価点数によって１日の全体的な評価（傾向）を知ることができるので、利用者において心身の状態をより容易に把握することができる。
【００２４】
請求項６に記載された発明によれば、表示手段が、表表示形式及びレーダーチャート表示形式のうちの少なくとも１つにおいて、総合点数を評価点数とともに表示するように構成されている。このようにしたことから、総合点数を、その算出の元となった複数の項目に対応した評価点数と並べて確認することができるので、例えば、評価点数が他の項目に比べて著しく異なる項目など、総合点数に大きく影響を与えた項目を把握することができる。そのため、利用者において心身の状態をより容易に把握することができる。
【００２５】
請求項７に記載された発明によれば、表示手段が、総合評価に対応する総合点数又は当該総合点数及び複数の項目のうちの少なくとも１つの項目に対応する評価点数を、日付入力手段に入力された日付を含む所定期間について日付順にプロットしてそれぞれを結んだ折れ線グラフ表示形式で表示するように構成されている。このようにしたことから、総合点数についてある程度連続した期間での変化を視覚的に確認することができるので、利用者において心身の状態をより容易に把握することができる。
【００２６】
請求項８に記載された発明によれば、表示手段が、各表示形式のうちの２つ以上の表示形式を同時に表示するように構成されている。つまり、表表示形式及びレーダーチャート表示形式、又は、折れ線グラフ表示形式が可能な構成においては、表表示形式、レーダーチャート表示形式及び折れ線グラフ表示形式、のうちの２つ以上の表示形式を同時に表示することができる。このようにしたことから、異なる表示形式を見比べることができるので、心身の状態を多面的に確認することができる。そのため、利用者において心身の状態をより容易に把握することができる。
【００２７】
請求項９に記載された発明によれば、任意の文章が記憶される文章記憶手段と、利用者により文章が入力される文章入力手段と、文章入力手段に入力された文章を日付に関連づけて文章記憶手段に記憶させる文章記憶処理手段と、をさらに備え、表示手段が、各表示形式の表示とともに、日付入力手段に入力された日付に対応して文章記憶手段に記憶された文章を表示するように構成されている。このようにしたことから、ある日付における各表示形式の表示とともに、当該日付に対応して利用者が任意に入力した文章を表示することができるので、利用者において入力した文章はそのときの精神状態が反映されているので、当該日付における心身の状態をより正確に把握することができる。
【図面の簡単な説明】
【００２８】
【図１】本発明の一実施形態の心身状態管理装置としてのスマートフォンの正面図である。
【図２】図１のスマートフォンの機能ブロック図である。
【図３】図２の情報保存部に記憶される項目テーブル及びコメントテーブルの一例を示す図である。
【図４】図１のタッチパネル式ディスプレイに表示されるデータ入力画面の一例を示す図である（今日の評価点数及びコメントが入力される前の状態）。
【図５】図１のタッチパネル式ディスプレイに表示される評価点数入力画面の一例を示す図である。
【図６】図２の記憶保存部に記憶される項目テーブル及びコメントテーブルの一例を示す図である（心身に係る複数の項目における今日の評価点数が入力された後の状態）。
【図７】図１のタッチパネル式ディスプレイに表示されるデータ入力画面の一例を示す図である（心身に係る複数の項目における今日の評価点数が入力された後の状態）。
【図８】図１のタッチパネル式ディスプレイに表示されるコメント入力画面の一例を示す図である。
【図９】図２の記憶保存部に記憶される項目テーブル及びコメントテーブルの一例を示す図である（今日のコメントが入力された後の状態）。
【図１０】図１のタッチパネル式ディスプレイに表示されるデータ入力画面の一例を示す図である（今日のコメントが入力された後の状態）。
【図１１】図１のタッチパネル式ディスプレイに表示される項目編集画面の一例を示す図である（項目について編集される前の状態）。
【図１２】図１のタッチパネル式ディスプレイに表示される個別編集画面の一例を示す図である（項目の内容について編集される前の状態）。
【図１３】図１のタッチパネル式ディスプレイに表示される表示順序リスト画面の一例を示す図である。
【図１４】図１のタッチパネル式ディスプレイに表示される目標値リスト画面の一例を示す図である。
【図１５】図１のタッチパネル式ディスプレイに表示される比率リスト画面の一例を示す図である。
【図１６】図１のタッチパネル式ディスプレイに表示される個別編集画面の一例を示す図である（項目の内容について編集された後の状態）。
【図１７】図２の記憶保存部に記憶される項目テーブル及びコメントテーブルの一例を示す図である（項目について編集された後の状態）。
【図１８】図１のタッチパネル式ディスプレイに表示される項目編集画面の一例を示す図である（項目について編集された後の状態）。
【図１９】図２の記憶保存部に記憶される項目テーブル及びコメントテーブルの一例を示す図である（一部の項目について削除された後の状態）。
【図２０】図１のタッチパネル式ディスプレイに表示される項目編集画面の一例を示す図である（一部の項目について削除された後の状態）。
【図２１】図１のタッチパネル式ディスプレイに表示される新規項目追加画面の一例を示す図である（項目の内容について編集される前の状態）。
【図２２】図１のタッチパネル式ディスプレイに表示される新規項目追加画面の一例を示す図である（項目の内容について編集された後の状態）。
【図２３】図２の記憶保存部に記憶される項目テーブル及びコメントテーブルの一例を示す図である（新たな項目が追加された後の状態）。
【図２４】図１のタッチパネル式ディスプレイに表示される項目編集画面の一例を示す図である（新たな項目が追加された後の状態）。
【図２５】図１のタッチパネル式ディスプレイに表示される表示切替画面の一例を示す図である。
【図２６】図１のタッチパネル式ディスプレイに表示されるコメント及び折れ線グラフ表示画面の一例を示す図である。
【図２７】図１のタッチパネル式ディスプレイに表示されるコメント及び折れ線グラフ表示画面の一例を示す図である（新たな項目が追加された後の状態）。
【図２８】図１のタッチパネル式ディスプレイに表示されるコメント及び折れ線グラフ表示画面の一例を示す図である（一部の項目について削除された後の状態）。
【図２９】図１のタッチパネル式ディスプレイに表示されるコメント及び折れ線グラフ表示画面の一例を示す図である（一部の項目について名称が変更された後の状態）。
【図３０】図１のタッチパネル式ディスプレイに表示されるレーダーチャート及びコメント表示画面の一例を示す図である。
【図３１】図１のタッチパネル式ディスプレイに表示されるレーダーチャート及びコメント表示画面の一例を示す図である（新たな項目が追加された後の状態）。
【図３２】図１のタッチパネル式ディスプレイに表示されるレーダーチャート及びコメント表示画面の一例を示す図である（一部の項目について削除された後の状態）。
【図３３】図１のタッチパネル式ディスプレイに表示されるレーダーチャート及びコメント表示画面の一例を示す図である（一部の項目について名称が変更された後の状態）。
【図３４】図１のタッチパネル式ディスプレイに表示されるレーダーチャート及び折れ線グラフ表示画面の一例を示す図である。
【図３５】図４のデータ入力画面の他の一例を示す図である（レーダーチャート座標を用いた評価点数入力（入力前の状態））。
【図３６】図４のデータ入力画面の他の一例を示す図である（レーダーチャート座標を用いた評価点数入力（入力後の状態））。
【発明を実施するための形態】
【００２９】
［目次］
１．発明の実施形態の概要
２．実施形態の構成説明
３．実施形態の動作説明
３．１．データ入力
３．１．１．評価点数入力
３．１．２．コメント入力
３．２．項目編集
３．２．１．個別編集
３．２．２．新規項目追加
３．３．表示切替
３．３．１．コメント及び折れ線グラフ表示
３．３．２．レーダーチャート及びコメント表示
３．３．３．レーダーチャート及び折れ線グラフ表示
４．実施形態の作用効果
５．実施形態の変形例
【００３０】
［１．発明の実施形態の概要］
【００３１】
スマートフォンは、様々な種類のアプリケーションプログラム（以下、単に「アプリ」という）を実行可能な高機能の携帯電話であり、目的に応じたアプリを実行することにより、各種装置として機能する。本実施形態は、スマートフォンにおいて心身に係る項目を管理するためのアプリを実行することにより、当該スマートフォンを心身状態管理装置として機能させるものである。
【００３２】
本実施形態において、「心身に係る項目」とは、心の状態や身体の状態に影響を与えると考えられる項目であって、例えば、（ａ）そのときの機嫌や気分などの精神状態、（ｂ）頭痛、腹痛などの痛みの有無、発熱状態、食欲状態、排便状態、体力状態などの体調、（ｃ）睡眠量、運動量、食事量、対人関係、仕事量、趣味の時間などの行動、が含まれる。勿論、これらは一例であって、本発明の目的に反しない限り、これら以外の項目を含めてもよい。
【００３３】
［２．実施形態の構成説明］
以下、本発明の一実施形態の心身状態管理装置であるスマートフォンの構成について、図１〜図３を参照して説明する。
【００３４】
図１は、本発明の一実施形態の心身状態管理装置としてのスマートフォンの正面図である。図２は、図１のスマートフォンの機能ブロック図である。図３は、図２の情報保存部に記憶される項目テーブル及びコメントテーブルの一例を示す図である。
【００３５】
図１に示すように、本実施形態のスマートフォン（図中、符号１で示す）は、タッチパネル式ディスプレイ１０と、複数の操作ボタン１１ａ〜１１ｃを有する操作部１１と、を備えている。
【００３６】
タッチパネル式ディスプレイ１０は、後述する制御部２０から出力された表示制御情報に応じて文書や画像などの各種画面を表示するとともに当該各種画面内でボタンやテキスト入力エリア、キーボード、テンキーなどの操作アイテムを表示する。また、タッチパネル式ディスプレイ１０は、上記操作アイテムに対応する箇所に利用者によって接触操作が入力される。ここで、接触操作には、例えば、タップ（指で比較的短い期間接触する）、ロングタップ（指で比較的長い期間接触する）、フリック（指を接触して所定方向に短く払う（短くスライドする））及びドラッグ（指を接触したままスライドさせたのち指を離す）などがある。本明細書において、「指」には、例えば、スタイラスペンなどの指と同等の操作入力手段を含む。即ち、タッチパネル式ディスプレイ１０は、表示機能及び操作入力機能をともに有している。タッチパネル式ディスプレイ１０は、表示手段、評価点数入力手段、日付入力手段、追加項目入力手段、削除項目入力手段、項目名称入力手段、表示順序入力手段及び文章入力手段として機能する。
【００３７】
操作部１１の複数の操作ボタン１１ａ〜１１ｃは、例えば、押しボタンスイッチなどで構成されている。これら複数の操作ボタン１１ａ〜１１ｃは、押圧操作されることにより、例えば、アプリにおいて１つ前の画面に戻ったり、アプリの機能メニューを表示したり、アプリを終了したりする。
【００３８】
図２に示すように、スマートフォン１は、上述したタッチパネル式ディスプレイ１０及び操作部１１に加えて、情報記憶部１２と、情報保存部１３と、制御部２０と、を備えている。
【００３９】
情報記憶部１２は、例えば、ＤＲＡＭなどの書き換え可能なメモリで構成されており、アプリによって一時的に使用される情報などが記憶される。情報保存部１３は、例えば、フラッシュメモリなどの書き換え可能な不揮発性メモリで構成されており、スマートフォン１の電源を落とした場合でも、保持する必要がある情報が記憶されている。本実施形態において、情報保存部１３には、例えば、スマートフォン１を心身状態管理装置として機能させるための心身状態管理アプリなどの各種アプリが記憶されている。また、情報保存部１３には、図３に一例を示すように、心身に係る複数の項目（図示例では、気分、体力、睡眠、運動、食事、対人、趣味）を記憶するとともに、これら複数の項目に対応した評価点数（本実施形態では、最高５点、最低０点とし、０．５点刻みで採点）を日付毎に記憶する項目テーブルＴ１が設けられている。また、この項目テーブルＴ１に、心身に係る複数の項目に対応した目標値及び比率も合わせて記憶する。目標値及び比率には、所定の既定値（デフォルト値）が設定されている。また、情報保存部１３には、図３に一例を示すように、利用者によって入力された任意の文章を日付毎に記憶するコメントテーブルＴ２が設けられている。情報保存部１３は、項目記憶手段及び文章記憶手段として機能する。
【００４０】
制御部２０は、マイクロコンピュータで構成されており、スマートフォン１の全体の制御を司る。制御部２０には、タッチパネル式ディスプレイ１０、操作部１１、情報記憶部１２及び情報保存部１３が接続されている。
【００４１】
制御部２０は、例えば、タッチパネル式ディスプレイに対して利用者が入力した接触操作に関する情報が入力され、当該入力された情報に基づいて、タッチパネル式ディスプレイ１０に対して所定の画像を表示するための表示制御情報を出力する。また、制御部２０は、操作部１１に入力された押圧操作に関する情報が入力される。制御部２０は、情報記憶部１２との間で各種情報が取り交わされる。制御部２０は、情報保存部１３から所定の情報を読み出し、かつ、情報保存部１３に所定の情報を記憶させる。
【００４２】
制御部２０は、情報保存部１３に保存された心身状態管理アプリを実行することにより、評価点数記憶処理手段、項目追加処理手段、項目削除処理手段、項目名称変更処理手段、総合点数算出手段及び文章記憶処理手段、などの各種手段として機能する。
【００４３】
スマートフォン１は、さらに図示しない加速度センサを備えており、制御部２０は加速度センサから入力された加速度情報に基づいて、現在のスマートフォン１の姿勢（縦向き、横向き）を検出して、タッチパネル式ディスプレイ１０に当該姿勢に応じた表示制御情報を出力する。これにより、タッチパネル式ディスプレイ１０は、スマートフォン１の姿勢に応じて現在の表示内容について縦表示又は横表示を行う。
【００４４】
［３．実施形態の動作説明］
次に、スマートフォン１の心身状態管理装置としての動作の一例について、図４〜図３４を参照して説明する。以下の説明において、「今日」とは、操作入力している日（説明内の例では２月２６日）を示し、「当日」とは、編集及び表示の対象となる日を示し、「前日」とは、当日の１日前の日を示している。
【００４５】
［３．１．データ入力］
スマートフォン１において、心身状態管理アプリが起動されると、「当日」の日付として、「今日」の日付を設定して、タッチパネル式ディスプレイ１０に、図４に示すデータ入力画面Ｇ１を表示する。または、後述する項目編集画面Ｇ４においてデータ入力ボタン４０２がタップされたときにも、データ入力画面Ｇ１を表示する。
【００４６】
図４に示すデータ入力画面Ｇ１では、上部に、終了ボタン１０１、項目編集ボタン１０２、グラフボタン１０３が横方向に並べて配置され、これらボタンの下方に、画面タイトルとしての「データ入力」、及び、当日の日付を表示する日付欄１０５が縦方向に順に並べて配置されている。日付欄１０５の下方に、心身に係る複数の項目及び当該項目に対応する評価点数を表示する表１０６が配置されている。表１０６の下方に、日付欄１０５に示された日付に対応するコメント（文章）を表示するコメント欄１０７が配置されている。表１０６及びコメント欄１０７の右方に、項目選択シンボル１０８が配置されている。コメント欄１０７の下方でデータ入力画面Ｇ１の下部に、前の日ボタン１１１、今日ボタン１１２、次の日ボタン１１３が横方向に並べて配置されている。図４のデータ入力画面Ｇ１は、図３に示す情報保存部１３に対応して表示されたものであり、心身に係る複数の項目に対する当日（即ち、今日）の評価点数及び当日のコメントが未だ入力されていない状態を表示している。
【００４７】
データ入力画面Ｇ１の表１０６は、列タイトル欄１０６ａと、項目名欄１０６ｂと、前日評価点数欄１０６ｃ、当日評価点数欄１０６ｄと、増減表示欄１０６ｅと、を有している。列タイトル欄１０６ａは、列方向（図中縦方向）に並ぶ各情報に関する見出し（タイトル）を示し、具体的には、心身に係る複数の項目の名称の見出しである「項目」、各項目の前日の評価点数の見出しである「前日」、各項目の当日の評価点数の見出しである「当日」を横方向に順に並べて表示する。項目名欄１０６ｂに、心身に係る複数の項目の名称を縦方向に順に並べて表示する。この表示順序は、情報保存部１３の項目テーブルＴ１における記憶順序（上からの順番）と一致する。前日評価点数欄１０６ｃに、日付欄に表示された日付の前日における各項目の評価点数を表示する。当日評価点数欄１０６ｄに、日付欄に表示された日付における各項目の評価点数を表示する。増減表示欄１０６ｅに、前日の評価点数に対する当日の評価点数の増減を示す記号等（本実施形態においては、増加を示す「ｕｐ」、減少を示す「ｄｎ」）を表示する。図４においては、当日の評価点数が未入力のため、当日評価点数欄１０６ｄ及び増減表示欄１０６ｅが空欄となっている。
【００４８】
データ入力画面Ｇ１の項目選択シンボル１０８は、表１０６の項目名欄１０６ｂに表示された心身に係る複数の項目及びコメント欄１０７のそれぞれに対応して複数個設けられており、現在選択されている項目に対応するシンボルを所定の選択形状（例えば、黒丸）で表示し、選択されていない項目に対応する他のシンボルを上記選択形状と異なる所定の非選択形状（例えば、白抜き丸）で表示する。
【００４９】
このデータ入力画面Ｇ１において、タッチパネル式ディスプレイ１０における前の日ボタン１１１を表示している箇所がタップされる（以下、同様の操作について、単に「ボタンがタップされる」などと表現する）と、日付欄１０５に表示されている日付の１日前を当日としたデータ入力画面Ｇ１を表示し、今日ボタン１１２がタップされると、今日を当日としたデータ入力画面Ｇ１を表示し、次の日ボタン１１３がタップされると、日付欄１０５に表示されている日付の１日後を当日としたデータ入力画面Ｇ１を表示する。データ入力画面Ｇ１において、終了ボタン１０１がタップされると、心身状態管理アプリを終了する。
【００５０】
［３．１．１．評価点数入力］
データ入力画面Ｇ１において、表１０６の項目名欄１０６ｂに表示された各項目に対応する行がタップされると、当該項目に対応する項目選択シンボル１０８を選択形状とし、当該項目以外の項目に対応する項目選択シンボル１０８の非選択形状として、図５に示す評価点数入力画面Ｇ２を表示する。
【００５１】
図５に示す評価点数入力画面Ｇ２は、データ入力画面Ｇ１上に重ねて表示される。評価点数入力画面Ｇ２では、上から順に心身に係る複数の項目のうちデータ入力画面Ｇ１においてタップされた項目の名称２０１、前日の評価点数の見出しである「前日」、前日の評価点数を星の数で示す前日評価点数星表示２０３、当日の評価点数の見出しである「当日」、及び、当日の評価点数が入力されるとともに入力された当日の評価点数を星の数で示す当日評価点数星表示２０５、が配置されている。また、評価点数入力画面Ｇ２の下部に、入力された当日の評価点数を確定する記録ボタン２１１と、評価点数の入力をキャンセルするキャンセルボタン２１３と、が横方向に並べて配置されている。本実施形態において、前日評価点数星表示２０３及び当日評価点数星表示２０５は、１つの星が１点（半分は０．５点）を示しており、５つの白抜き星を横方向に並べて配置するとともに、これら白抜き星のうちの評価点数に対応した数の星を図の左側から順に当該星の半分刻みで塗りつぶすことにより、評価点数を表示している。
【００５２】
評価点数入力画面Ｇ２において、前日評価点数星表示２０３には、当該評価点数入力画面Ｇ２に係る項目（図示例では「睡眠」）に対応して情報保存部１３に記憶された前日分の評価点数を表示する。また、当日評価点数星表示２０５は、評価点数入力前は０点（５つの白抜き星）を表示しており、利用者によって当日評価点数星表示２０５がタップ又はドラッグされると、指が離された位置に対応した評価点数が入力され、この入力された評価点数を一時的に情報記憶部１２に記憶する。
【００５３】
具体的には、例えば、利用者が、左端の白抜き星に指を接触させるともに、指を接触したまま右側に向けてスライド移動させると、スライド移動に対応して白抜き星を順次塗りつぶしていく。そして、利用者が左から２つ目の白抜き星と３つ目の白抜き星との間で指を離すと、５つの白抜き星のうち左から２つが塗りつぶされ、塗りつぶされた星の数に対応して評価点数として２点が入力され、この評価点数を当該評価点数入力画面Ｇ２に係る項目に対応させて一時的に情報記憶部１２に記憶する。単に、利用者が左から２つ目の白抜き星と３つ目の白抜き星との間をタップした場合も同様である。本実施形態では、評価点数入力画面Ｇ２において、前日の評価点数についても表示する構成としているので、当該前日の評価点数を参考に当日の評価点数を入力することができ、入力時において、入力対象の項目について前日より改善したのか悪化したのかを容易に確認することができる。前日の評価点数の表示を省略した構成としてもよい。
【００５４】
そして、利用者が記録ボタン２１１をタップすると、情報記憶部１２に一時的に記憶した評価点数を、情報保存部１３の項目テーブルＴ１に評価点数入力画面Ｇ２に係る項目及び当日の日付に関連づけて記憶し、評価点数入力画面Ｇ２を消去する。また、利用者がキャンセルボタン２１３をタップすると、情報記憶部１２に一時的に記憶した評価点数を破棄して、評価点数入力画面Ｇ２を消去する。図６に、図３の情報保存部１３において、心身に係る複数の項目における今日の評価点数が入力された後の情報保存部１３を示す。評価点数入力画面Ｇ２が消去されると、データ入力画面Ｇ１に戻る。図７に、図４のデータ入力画面Ｇ１において、心身に係る複数の項目における今日の評価点数が入力された後のデータ入力画面Ｇ１を示す。
【００５５】
［３．１．２．コメント入力］
データ入力画面Ｇ１において、コメント欄１０７がタップされると、当該コメント欄１０７に対応する項目選択シンボル１０８の選択形状とし、当該項目以外の項目に対応する項目選択シンボル１０８を非選択形状として、図８に示すコメント入力画面Ｇ３を表示する。
【００５６】
図８に示すコメント入力画面Ｇ３は、データ入力画面Ｇ１上に重ねて表示される。コメント入力画面Ｇ３では、上部にコメント入力画面の画面タイトルとしての「コメント」が配置され、縦方向中央部にテキスト入力エリア３０２がそれぞれ配置される。また、コメント入力画面Ｇ３の下部に、入力されたコメントを確定する記録ボタン３１１と、コメントの入力をキャンセルするキャンセルボタン３１３とが横方向に並べて配置されている。
【００５７】
コメント入力画面Ｇ３において、テキスト入力エリア３０２がタップされると、キーボード（図示なし）を表示する。利用者はこのキーボードを用いて、記録しておきたいコメント（文章）を入力する。コメント入力後、テキスト入力エリア３０２に入力されたコメントを一時的に情報記憶部１２に記憶する。図８においては、コメントが入力された後のコメント入力画面Ｇ３を示している。そして、コメント入力画面Ｇ３において、記録ボタン３１１がタップされると、情報記憶部１２に一時的に記憶したコメントを、情報保存部１３のコメントテーブルＴ２に、当日の日付に関連づけて記憶し、コメント入力画面Ｇ３を消去する。また、コメント入力画面Ｇ３においてキャンセルボタン３１３がタップされると、情報記憶部１２に一時的に記憶したコメントを破棄して、コメント入力画面Ｇ３を消去する。図９に、図６の情報保存部１３において今日のコメントが入力された後の情報保存部１３を示す。コメント入力画面Ｇ３が消去されると、データ入力画面Ｇ１に戻る。図１０に、図７のデータ入力画面Ｇ１において今日のコメントが入力された後のデータ入力画面Ｇ１を示す。
【００５８】
［３．２．項目編集］
データ入力画面Ｇ１において、項目編集ボタン１０２がタップされると、図１１に示す項目編集画面Ｇ４を表示する。
【００５９】
図１１に示す項目編集画面Ｇ４は、データ入力画面Ｇ１と切り替えて表示される。項目編集画面Ｇ４では、終了ボタン４０１、データ入力ボタン４０２、グラフボタン４０３が横方向に並べて配置され、これらボタンの下方に、画面タイトルとしての「項目編集」が配置されている。画面タイトルの下方に、心身に係る複数の項目及び当該項目に対応する順序、目標値及び比率を表示する表４０６が配置されている。表４０６の右方には、項目選択シンボル４０８が配置されている。また、表４０６の下方で、項目編集画面Ｇ４の下部には、新規追加ボタン４１１が配置されている。また、
【００６０】
項目編集画面Ｇ４の表４０６は、列タイトル欄４０６ａと、順序欄４０６ｂと、項目名欄４０６ｃと、目標値欄４０６ｄと、比率欄４０６ｅと、を有している。列タイトル欄４０６ａは、列方向（図中縦方向）に並ぶ各情報に関する見出し（タイトル）を示し、具体的には、心身に係る複数の項目の表示順序の見出しである「順番」、各項目の名称の見出しである「項目」、各項目における評価点数の目標値の見出しである「目標値」、各項目の重み付けを示す比率の見出しである「比率」を横方向に順に並べて表示する。順序欄４０６ｂに、上から下に昇順で心身に係る複数の項目の表示順序を示す数値を並べて表示する。項目名欄４０６ｃに、心身に係る複数の項目の名称を縦方向に順に並べて表示する。この表示順序は、情報保存部１３の項目テーブルＴ１における記憶順序（上からの順番）と一致する。目標値欄４０６ｄに、各項目の評価点数の目標値を表示する。比率欄４０６ｅに、各項目の重み付けを示す比率を表示する。
【００６１】
項目編集画面Ｇ４の項目選択シンボル４０８は、データ入力画面Ｇ１と同様に、表４０６の項目名欄４０６ｃに表示された心身に係る複数の項目のそれぞれに対応して複数個設けられており、現在選択されている項目に対応するシンボルを所定の選択形状（例えば、黒丸）で表示し、選択されていない項目に対応する他のシンボルを上記選択形状と異なる所定の非選択形状（例えば、白抜き丸）で表示する。
【００６２】
［３．２．１．個別編集］
項目編集画面Ｇ４において、表４０６の項目名欄４０６ｃに表示された各項目に対応する行がタップされると、当該項目に対応する項目選択シンボル４０８を選択形状とし、当該項目以外の項目に対応する項目選択シンボル４０８を非選択形状として、図１２に示す個別編集画面Ｇ５を表示する。
【００６３】
図１２に示す個別編集画面Ｇ５は、項目編集画面Ｇ４上に重ねて表示される。個別編集画面Ｇ５では、上から順に心身に係る複数の項目のうち項目編集画面Ｇ４においてタップされた項目の名称５０１（図示例では「体力」）、当該項目の名称を変更する場合に新たな項目の名称を入力する項目名称入力欄５０２、表示順序の見出しである「表示順序」、当該項目の表示順序を表示する表示順序欄５０４、当該項目の目標値の見出しである「目標」、当該項目の目標値を表示する目標値欄５０６、当該項目の比率の見出しである「比率」、及び、当該項目の比率を表示する比率欄５０８が配置されている。また、個別編集画面Ｇ５の下部に、当該個別編集画面Ｇ５に係る項目を削除する削除ボタン５１１と、当該個別編集画面Ｇ５において入力された変更を確定する変更ボタン５１２と、当該個別編集画面Ｇ５での入力をキャンセルするキャンセルボタン５１３と、が横方向に並べて配置されている。個別編集画面Ｇ５を表示した直後において、項目名称入力欄５０２に、項目の名称５０１と同一の名称を表示し、表示順序欄５０４に、当該項目における情報保存部１３に記憶されている順序（項目テーブルの上からの順番）を表示し、目標値欄５０６及び比率欄５０８に、当該項目に対応して情報保存部１３に記憶されている目標値及び比率を表示する。
【００６４】
個別編集画面Ｇ５において、項目名称入力欄５０２がタップされると、キーボード（図示なし）を表示する。利用者がこのキーボードを用いて、個別編集画面Ｇ５に係る項目の新たな名称を入力する。新たな名称を入力した後、入力された新たな名称を項目名称入力欄５０２に表示するとともに、一時的に情報記憶部１２に記憶する。
【００６５】
また、個別編集画面Ｇ５において、表示順序欄５０４がタップされると、図１３に示す表示順序リスト画面Ｇ６を個別編集画面Ｇ５上に重ねて表示する。そして、利用者が表示順序リスト画面Ｇ６に表示された表示順序のいずれか１つをタップすると、表示順序リスト画面Ｇ６を消去し、当該表示順序リスト画面Ｇ６においてタップされた表示順序を表示順序欄５０４に表示するとともに、一時的に情報記憶部１２に記憶する。
【００６６】
また、個別編集画面Ｇ５において、目標値欄５０６がタップされると、図１４に示す目標値リスト画面Ｇ７を個別編集画面Ｇ５上に重ねて表示する。そして、利用者が目標値リスト画面Ｇ７に表示された目標値のいずれか１つをタップすると、目標値リスト画面Ｇ７を消去し、当該目標値リスト画面Ｇ７においてタップされた目標値を目標値欄５０６に表示するとともに、一時的に情報記憶部１２に記憶する。本実施形態において、目標値は正の整数で入力される。
【００６７】
また、個別編集画面Ｇ５において、比率欄５０８がタップされると、図１５に示す比率リスト画面Ｇ８を個別編集画面Ｇ５上に重ねて表示する。そして、利用者が比率リスト画面Ｇ８に表示された比率のいずれか１つをタップすると、比率リスト画面Ｇ８を消去し、当該比率リスト画面Ｇ８においてタップされた比率を比率欄５０８に表示するとともに、一時的に情報記憶部１２に記憶する。
【００６８】
また、個別編集画面Ｇ５において、変更ボタン５１２がタップされると、情報記憶部１２に一時的に記憶した各情報（項目名、表示順序、目標値、比率のいずれか又は全て）に基づいて情報保存部１３を更新し、個別編集画面Ｇ５を消去する。具体的には、項目名、目標値及び比率については、情報保存部１３の項目テーブルＴ１に記憶されている内容を、情報記憶部１２に一時的に記憶した内容に置き換えて記憶する。また、表示順序については、項目テーブルＴ１において、変更後の表示順序で記憶されている他の項目と当該項目とを順序を入れ換えて記憶する。一例を挙げると、個別編集画面Ｇ５において、表示順序が５番だった項目を２番に変更した場合、項目テーブルＴ１において上から２番目に記憶されていた項目を５番目に移動し、５番目に記憶されていた項目（今回順番が変更された項目）を２番目に移動する。即ち、項目テーブルＴ１において、２番目と５番目とを入れ換えて記憶する。
【００６９】
図１６に、図１２の個別編集画面Ｇ５において、項目名、表示順序、目標値及び比率を変更した個別編集画面Ｇ５を示す。図１７に、図９の情報保存部１３において、項目名、表示順序、目標値及び比率が変更された後の情報保存部１３を示す。個別編集画面Ｇ５が消去されると、項目編集画面Ｇ４に戻る。図１８に、図１１の項目編集画面Ｇ４において、図１６の個別編集画面Ｇ５に係る項目の項目名、表示順序、目標値及び比率が変更された後の項目編集画面Ｇ４を示す。
【００７０】
また、個別編集画面Ｇ５においてキャンセルボタン５１３がタップされると、情報記憶部１２に一時的に記憶した各情報を破棄して、個別編集画面Ｇ５を消去する。
【００７１】
または、個別編集画面Ｇ５において、削除ボタン５１１がタップされると、当該個別編集画面Ｇ５に係る項目を削除する。具体的には、情報保存部１３の項目テーブルＴ１に記憶されている当該個別編集画面Ｇ５に係る項目及び当該項目に対応する評価点数、目標値及び比率を項目テーブルＴ１から削除する。つまり、項目テーブルＴ１において、削除対象の項目に対応する行を削除し、それより下の行について１つずつ順番を繰り上げる。そして、情報記憶部１２に一時的に記憶した情報があれば、それを破棄して、個別編集画面Ｇ５を消去する。図１９に、図９の情報保存部１３において、図１２の個別編集画面Ｇ５に係る項目（「体力」）が削除された情報保存部１３を示す。個別編集画面Ｇ５が消去されると、項目編集画面Ｇ４に戻る。図２０に、図１１の項目編集画面Ｇ４において、図１２の個別編集画面Ｇ５に係る項目が削除された後の項目編集画面Ｇ４を示す。
【００７２】
［３．２．２．新規項目追加］
項目編集画面Ｇ４において、新規追加ボタン４１１がタップされると、図２１に示す新規項目追加画面Ｇ９を表示する。
【００７３】
図２１に示す新規項目追加画面Ｇ９は、項目編集画面Ｇ４上に重ねて表示される。新規項目追加画面Ｇ９では、上から順に画面タイトルとしての「新規追加」、新たに追加する項目の名称を入力する項目名称入力欄９０２、表示順序の見出しである「表示順序」、当該項目の表示順序を表示する表示順序欄９０４、当該項目の目標値の見出しである「目標」、当該項目の目標値を表示する目標値欄９０６、当該項目の比率の見出しである「比率」、及び、当該項目の比率を表示する比率欄９０８が配置されている。また、新規項目追加画面Ｇ９の下部に、新たな項目の追加を確定する追加ボタン９１２と、新たな項目の追加をキャンセルするキャンセルボタン９１３と、が横方向に並べて配置されている。新規項目追加画面Ｇ９を表示した直後において、項目名称入力欄９０２に「新規」を表示し、表示順序欄９０４に、情報保存部１３に記憶されている最後の項目の１つ後の順序（項目テーブルＴ１の一番下の項目の順番に１を加えた順番（図示例では「８」））を表示し、目標値欄９０６及び比率欄９０８に、それぞれの規定値（図示例では「３．０」及び「１」）を表示するとともに、これら情報を一時的に情報記憶部１２に記憶する。
【００７４】
新規項目追加画面Ｇ９において、項目名称入力欄９０２、表示順序欄９０４、目標値欄９０６、比率欄９０８及びキャンセルボタン９１３がタップされると、上述した個別編集画面Ｇ５においてそれぞれ項目名称入力欄５０２、表示順序欄５０４、目標値欄５０６、比率欄５０８及びキャンセルボタン５１３がタップされたときと同様に動作する。
【００７５】
また、新規項目追加画面Ｇ９において、追加ボタン９１２がタップされると、情報記憶部１２に一時的に記憶した各情報（項目名、表示順序、目標値、比率）に基づいて情報保存部１３を更新し、新規項目追加画面Ｇ９を消去する。具体的には、情報記憶部１２に一時的に記憶された表示順序に対応して項目テーブルＴ１に新たな項目を記憶する領域を設け、当該領域に表示順序以外の各情報（項目名、目標値、比率）を記憶する。一例を挙げると、新たに追加する項目の表示順序を７番とした場合、項目テーブルＴ１において上から７番目に空行を挿入し（即ち、７番目以降に記憶されている項目について、それぞれ順番を１つずつ繰り下げて８番目以降に記憶することにより上から７番目の箇所に新たな行を設け）、当該空行に新たに追加する項目の情報（項目名、目標値、比率）を記憶する。
【００７６】
図２２に、図２１の新規項目追加画面Ｇ９において、項目名称入力欄９０２に新たに追加する項目の名称（「仕事」）が入力されるとともに、表示順序欄９０４に表示順序が入力された後の新規項目追加画面Ｇ９を示す。図２３に、図１７に示す情報保存部１３において、図２２に示す新規項目追加画面Ｇ９に係る新たな項目が追加された情報保存部１３を示す。新規項目追加画面Ｇ９が消去されると、項目編集画面Ｇ４に戻る。図２４に、図１８に示す項目編集画面Ｇ４において、図２２に示す新規項目追加画面Ｇ９に係る新たな項目が追加された後の項目編集画面Ｇ４を示す。
【００７７】
［３．３．表示切替］
データ入力画面Ｇ１においてグラフボタン１０３がタップされると、または、項目編集画面Ｇ４においてグラフボタン４０３がタップされると、図２５に示す表示切替画面Ｇ１０を表示する。または、コメント及び折れ線グラフ表示画面Ｇ１１において表示切替ボタン１１０４がタップされると、または、レーダーチャート及びコメント表示画面Ｇ１２において表示切替ボタン１２０４がタップされると、または、レーダーチャート及び折れ線グラフ表示画面Ｇ１３において表示切替ボタン１３０４がタップされと、同様に図２５に示す表示切替画面Ｇ１０を表示する。
【００７８】
図２５に示す表示切替画面Ｇ１０は、データ入力画面Ｇ１又は項目編集画面Ｇ４と切り替えて表示される。表示切替画面Ｇ１０では、上から順に、画面タイトルとしての「表示切替」、及び、表示形式リスト１００２が配置されている。表示形式リスト１００２の右方には、項目選択シンボル１００８が配置されている。
【００７９】
表示形式リスト１００２は、情報保存部１３に記憶されている情報を表示するための各種表示形式を並べて表示する。本実施形態においては、（ｉ）コメント及び折れ線グラフを同時に表示する第１表示形態１００２ａ、（ｉｉ）レーダーチャート及びコメントを同時に表示する第２表示形態１００２ｂ、（ｉｉｉ）レーダーチャート及び折れ線グラフを同時に表示する第３表示形態１００２ｃ、が当該リストに含まれている。レーダーチャートは、情報保存部１３に記憶されている心身に係る複数の項目の評価点数のうちの当日の評価点数を、レーダーチャート表示形式で表示するものである。折れ線グラフは、後述する総合評価に対応する総合点数及び情報保存部１３に記憶されている心身に係る複数の項目のうちの選択された１つ又は複数の項目に対応する評価点数について、当日を含む所定期間（例えば、各月毎）に日付順にプロットしてそれぞれを結んだ折れ線グラフ表示形式で表示するものである。また、本実施形態においては、当日の評価点数を表で表示する表表示形式を、折れ線グラフ表示形式に重ねて表示する。勿論、これらに限定されるものではなく、例えば、心身に係る複数の項目及び当該項目に対応する評価点数について、レーダーチャートに代えて表で表示してもよく、また、表、レーダーチャート及び折れ線グラフをそれぞれ単独で表示してもよく、本発明の目的に反しない限り、心身に係る複数の項目及び当該項目に対応する評価点数の表示形式は任意である。
【００８０】
表示切替画面Ｇ１０の項目選択シンボル１００８は、表示形式リスト１００２の複数の表示形式に対応して複数個設けられており、現在選択されている表示形式に対応するシンボルを所定の選択形状（例えば、黒丸）で表示し、選択されていない表示形式に対応する他のシンボルを上記選択形状と異なる所定の非選択形状（例えば、白抜き丸）で表示する。
【００８１】
［３．３．１．コメント及び折れ線グラフ表示］
表示切替画面Ｇ１０において、表示形式リスト１００２の第１表示形態１００２ａがタップされると、当該第１表示形態１００２ａに対応する項目選択シンボル１００８を選択形状とし、第２表示形態１００２ｂ及び第３表示形態１００２ｃに対応する項目選択シンボル１００８の非選択形状として、図２６に示すコメント及び折れ線グラフ表示画面Ｇ１１を表示する。
【００８２】
図２６に示すコメント及び折れ線グラフ表示画面Ｇ１１では、上部に、終了ボタン１１０１、データ入力ボタン１１０２、項目編集ボタン１１０３、表示切替ボタン１１０４が横方向に並べて配置されている。これらボタンの下方に、当日の日付を表示する日付欄１１０５、総合評価の見出しである「総合」、総合評価に対応する総合点数を表示する総合点数欄１１０６、前日の総合点数に対する当日の総合点数の増減を示す記号等（本実施形態においては、増加を示す「↑」、減少を示す「↓」など）を表示する増減表示欄１１０７、が横方向に順に並べて配置されている。さらに、それらの下方に、日付欄１１０５に示された日付に対応するコメントを表示するコメント欄１１０８が配置され、コメント欄１１０８の下方に、日付欄１１０５に示された日付を含む月（図示例では２月）について総合点数および睡眠の評価点数を日付順にプロットしてそれぞれを結んだ折れ線グラフ１１０９が配置されている。折れ線グラフ１１０９において、総合点数の表示を省略、又は、他の項目に代えて表示してもよい。折れ線グラフ１１０９に重ねて、日付欄１１０５に示された日付並びに当該日付における総合点数及び情報保存部１３に記憶された心身に係る複数の項目の評価点数を表で表示する一覧表１１１０が配置されている。即ち、この一覧表１１１０においては、日付欄１１０５に示された日付における総合点数と、当該日付に対応して情報保存部１３に記憶された各項目の評価点数とを、共に１つの表で表示する。なお、一覧表１１１０において、総合点数の表示を省略した構成としてもよい。折れ線グラフ１１０９の下方でコメント及び折れ線グラフ表示画面Ｇ１１の下部に、前の日ボタン１１１１、今日ボタン１１１２、次の日ボタン１１１３が横方向に並べて配置されている。
【００８３】
上述した総合点数は、日付欄に表示された日付に対応して情報保存部１３に記憶されている各評価点数に、これらに対応する比率を乗じたのち、それらを足し合わせたものを複数の項目の数で除した値（即ち、比率によって複数の項目の重み付けをした加重平均値）である。これ以外にも、各評価点数の単純平均値を総合点数としてもよい。
【００８４】
コメント及び折れ線グラフ表示画面Ｇ１１において、データ入力ボタン１１０２がタップされるとデータ入力画面Ｇ１を表示し、項目編集ボタン１１０３がタップされると項目編集画面Ｇ４を表示し、表示切替ボタン１１０４がタップされると表示切替画面Ｇ１０を表示する。また、コメント及び折れ線グラフ表示画面Ｇ１１において、前の日ボタン１１１１がタップされると、日付欄１１０５に表示されている日付の１日前を当日としたコメント及び折れ線グラフ表示画面Ｇ１１を表示し、今日ボタン１１１２がタップされると、今日を当日としたコメント及び折れ線グラフ表示画面Ｇ１１を表示し、次の日ボタン１１１３がタップされると、日付欄１１０５に表示されている日付の１日後を当日としたコメント及び折れ線グラフ表示画面Ｇ１１を表示する。また、コメント及び折れ線グラフ表示画面Ｇ１１において、終了ボタン１１０１がタップされると、心身状態管理アプリを終了する。
【００８５】
折れ線グラフ１１０９がドラッグ又はタップされると、指が離された位置に対応した日が新たに当日として設定されて、新たな当日に対応したコメント及び折れ線グラフ表示画面Ｇ１１を表示する。具体的には、折れ線グラフ１１０９上に指が接触すると、総合点数の折れ線グラフにおける当該接触した横方向位置に対応する箇所に指定された日付を示すマークＭ（図示例では黒丸）が移動し、当該接触した横方向位置に対応した日付を当日として設定し、日付欄１１０５、総合点数欄１１０６、増減表示欄１１０７、コメント欄１１０８、一覧表１１１０の表示が更新される。そして、指が接触されたまま横方向に移動されると、それに伴ってマークＭも横方向に移動し、その横方向位置に対応した日付を順次当日として設定して上記と同様に各欄の表示が更新され、指が離されたときの横方向位置に対応した日付を最終的に当日として設定して、上記各欄において当該日付に対応した表示を行う。折れ線グラフ１１０９をタップした場合も同様である。
【００８６】
上述した項目編集画面Ｇ４において、情報保存部１３に記憶されている心身に係る複数の項目について、新たな項目の追加、項目の削除、項目名の変更が行われると、それに伴い、コメント及び折れ線グラフ表示画面Ｇ１１の表示も変化する。図２７に、図２６のコメント及び折れ線グラフ表示画面Ｇ１１において、新たな項目（「仕事」）が追加されたときのものを示す。図２８に、図２６のコメント及び折れ線グラフ表示画面Ｇ１１において項目（「体力」）が削除されたときのものを示す。図２９に、図２６のコメント及び折れ線グラフ表示画面Ｇ１１において一部の項目の名称が変更（「体力」→「体調」）されたときのものを示す。これ以外にも、情報保存部１３に記憶されている心身に係る複数の項目について、記憶順序が変更されると、その記憶順序に応じた順序で一覧表１１１０を表示する。
【００８７】
［３．３．２．レーダーチャート及びコメント表示］
表示切替画面Ｇ１０において、表示形式リスト１００２の第２表示形態１００２ｂがタップされると、当該第２表示形態１００２ｂに対応する項目選択シンボル１００８を選択形状とし、第１表示形態１００２ａ及び第３表示形態１００２ｃに対応する項目選択シンボル１００８の非選択形状として、図３０に示すレーダーチャート及びコメント表示画面Ｇ１２を表示する。
【００８８】
図３０に示すレーダーチャート及びコメント表示画面Ｇ１２では、上部に、終了ボタン１２０１、データ入力ボタン１２０２、項目編集ボタン１２０３、表示切替ボタン１２０４が横方向に並べて配置されている。これらボタンの下方に、当日の日付を表示する日付欄１２０５、総合評価の見出しである「総合」、総合評価に対応する総合点数を表示する総合点数欄１２０６、前日の総合点数に対する当日の総合点数の増減を示す記号等（本実施形態においては、増加を示す「↑」、減少を示す「↓」など）を表示する増減表示欄１２０７、が横方向に順に並べて配置されている。さらに、それらの下方に、日付欄１２０５に示された日付の評価点数を表示するレーダーチャート１２０８が配置され、レーダーチャート１２０８の下方に、日付欄１２０５に示された日付に対応するコメントを表示するコメント欄１２０９が配置されている。コメント欄１２０９の下方でレーダーチャート及びコメント表示画面Ｇ１２の下部に、前の日ボタン１２１１、今日ボタン１２１２、次の日ボタン１２１３が横方向に並べて配置されている。
【００８９】
レーダーチャート１２０８では、情報保存部１３に記憶された心身に係る複数の項目に対応して放射状に伸びるレーダーチャート座標１２０８ａを表示し、レーダーチャート座標１２０８ａの先端に複数の項目の名称１２０８ｂを表示し、レーダーチャート座標１２０８ａに各項目の評価点数をプロットした後それぞれを結んだグラフ１２０８ｃを表示する。また、複数の項目の名称１２０８ｂに並べて、前日の評価点数に対する当日の評価点数の増減を示す増減記号１２０８ｄ（本実施形態においては、増加を示す「↑」、減少を示す「↓」、変化なしを示す「−」）を表示する。また、レーダーチャート１２０８において、評価点数のグラフ１２０８ｃとともに、情報保存部１３に記憶された各項目に対応する目標値をプロットした後それぞれを結んだグラフを表示する構成としてもよい。また、レーダーチャート１２０８において、総合点数に対するレーダーチャート座標１２０８ａを追加して、各項目に対応する評価点数とともに総合点数を表示するようにしてもよい。
【００９０】
レーダーチャート及びコメント表示画面Ｇ１２において、データ入力ボタン１２０２、項目編集ボタン１２０３、表示切替ボタン１２０４、前の日ボタン１２１１、今日ボタン１２１２、次の日ボタン１２１３、及び、終了ボタン１２０１がタップされたときは、上述したコメント及び折れ線グラフ表示画面Ｇ１１と同様である。
【００９１】
上述した項目編集画面Ｇ４において、情報保存部１３に記憶されている心身に係る複数の項目について、新たな項目の追加、項目の削除、項目名の変更が行われると、それに伴い、レーダーチャート及びコメント表示画面Ｇ１２の表示も変化する。図３１に、図３０のレーダーチャート及びコメント表示画面Ｇ１２において、新たな項目（「仕事」）が追加されたときのものを示す。図３２に、図３０のレーダーチャート及びコメント表示画面Ｇ１２において項目（「体力」）が削除されたときのものを示す。図３３に、図３０のレーダーチャート及びコメント表示画面Ｇ１２において一部の項目の名称が変更（「体力」→「体調」）されたときのものを示す。これ以外にも、情報保存部１３に記憶されている心身に係る複数の項目について、記憶順序が変更されると、その記憶順序に応じた順序でレーダーチャート１２０８を表示する。
【００９２】
［３．３．３．レーダーチャート及び折れ線グラフ表示］
表示切替画面Ｇ１０において、表示形式リスト１００２の第３表示形態１００２ｃがタップされると、当該第３表示形態１００２ｃに対応する項目選択シンボル１００８を選択形状とし、第１表示形態１００２ａ及び第２表示形態１００２ｂに対応する項目選択シンボル１００８の非選択形状として、図３４に示すレーダーチャート及び折れ線グラフ表示画面Ｇ１３を表示する。
【００９３】
図３４に示すレーダーチャート及び折れ線グラフ表示画面Ｇ１３では、上部に、終了ボタン１３０１、データ入力ボタン１３０２、項目編集ボタン１３０３、表示切替ボタン１３０４が横方向に並べて配置されている。これらボタンの下方に、当日の日付を表示する日付欄１３０５、総合評価の見出しである「総合」、総合評価に対応する総合点数を表示する総合点数欄１３０６、前日の総合点数に対する当日の総合点数の増減を示す記号等（本実施形態においては、増加を示す「↑」、減少を示す「↓」など）を表示する増減表示欄１３０７、が横方向に順に並べて配置されている。さらに、それらの下方に、日付欄１３０５に示された日付の評価点数を表示するレーダーチャート１３０８が配置され、レーダーチャート１３０８の下方に、日付欄１３０５に示された日付を含む月（図示例では２月）について総合点数および睡眠の評価点数を日付順にプロットしてそれぞれを結んだ折れ線グラフ１３０９が配置されている。折れ線グラフ１３０９の下方でレーダーチャート及び折れ線グラフ表示画面Ｇ１３の下部に、前の日ボタン１３１１、今日ボタン１３１２、次の日ボタン１３１３が横方向に並べて配置されている。
【００９４】
レーダーチャート１３０８では、レーダーチャート及びコメント表示画面Ｇ１２のレーダーチャート１２０８と同様に、情報保存部１３に記憶された心身に係る複数の項目に対応して放射状に伸びるレーダーチャート座標１３０８ａを表示し、レーダーチャート座標１３０８ａの先端に複数の項目の名称１３０８ｂを表示し、レーダーチャート座標１３０８ａに各項目の評価点数をプロットした後それぞれを結んだグラフ１３０８ｃを表示する。また、複数の項目の名称１３０８ｂに並べて、前日の評価点数に対する当日の評価点数の増減を示す増減記号１３０８ｄ（本実施形態においては、増加を示す「↑」、減少を示す「↓」、変化なしを示す「−」）を表示する。また、レーダーチャート１３０８において、評価点数のグラフ１３０８ｃとともに、情報保存部１３に記憶された各項目に対応する目標値をプロットした後それぞれを結んだグラフを表示する構成としてもよい。
【００９５】
折れ線グラフ１３０９がドラッグ又はタップされると、コメント及び折れ線グラフ表示画面Ｇ１１の折れ線グラフ１１０９と同様に、指が離された位置に対応した日が新たに当日として設定されて、新たな当日に対応したレーダーチャート及び折れ線グラフ表示画面Ｇ１３を表示する。具体的には、折れ線グラフ１３０９上に指が接触すると、総合点数の折れ線グラフにおける当該接触した横方向位置に対応する箇所に指定された日付を示すマークＭ（図示例では黒丸）が移動し、当該接触した横方向位置に対応した日付を当日として設定し、日付欄１３０５、総合点数欄１３０６、増減表示欄１３０７、レーダーチャート１３０８の表示が更新される。そして、指が接触されたまま横方向に移動されると、それに伴ってマークＭも横方向に移動し、その横方向位置に対応した日付を順次当日として設定して上記と同様に各欄の表示が更新され、指が離されたときの横方向位置に対応した日付を最終的に当日として設定して、上記各欄において当該日付に対応した表示を行う。折れ線グラフ１３０９をタップした場合も同様である。
【００９６】
レーダーチャート及び折れ線グラフ表示画面Ｇ１３において、データ入力ボタン１３０２、項目編集ボタン１３０３、表示切替ボタン１３０４、前の日ボタン１３１１、今日ボタン１３１２、次の日ボタン１３１３、及び、終了ボタン１３０１がタップされたときは、上述したコメント及び折れ線グラフ表示画面Ｇ１１と同様である。
【００９７】
上述した項目編集画面Ｇ４において、情報保存部１３に記憶されている心身に係る複数の項目について、新たな項目の追加、項目の削除、項目名の変更が行われると、それに伴い、レーダーチャート及び折れ線グラフ表示画面Ｇ１３の表示（具体的には、レーダーチャート１３０８）も変化する。また、情報保存部１３に記憶されている心身に係る複数の項目について、記憶順序が変更されても、レーダーチャート及び折れ線グラフ表示画面Ｇ１３の表示（具体的には、レーダーチャート１３０８）も変化する。
【００９８】
［４．実施形態の作用効果］
上述したように、本実施形態では、タッチパネル式ディスプレイ１０が、（１）項目記憶手段に記憶された心身に係る複数の項目及びそれらに対応した評価点数を所定の表示形式で表示する表示手段として機能し、さらに、（２）心身に係る複数の項目のそれぞれについての１日毎の評価点数が利用者により入力される評価点数入力手段、（３）利用者により日付が入力される日付入力手段、（４）心身に係る複数の項目に追加する項目が利用者により入力される追加項目入力手段、（５）心身に係る複数の項目から削除する項目が利用者により入力される削除項目入力手段、（６）心身に係る複数の項目のうちの利用者によって選択された１つの項目についての新しい名称が当該利用者により入力される項目名称入力手段、（７）利用者により心身に係る複数の項目についての表示順序が入力される表示順序入力手段、及び、（８）前記利用者により文章が入力される文章入力手段、として機能する。
【００９９】
また、情報保存部１３は、（９）心身に係る複数の項目が記憶される項目記憶手段、及び、（１０）任意の文章が記憶される文章記憶手段、として機能する。
【０１００】
また、制御部２０が、（１１）評価点数入力手段に入力された評価点数を、それに対応する項目及び日付に関連づけて項目記憶手段に記憶させる評価点数記憶処理手段、（１２）追加項目入力手段に入力された項目を心身に係る複数の項目に追加して項目記憶手段に記憶させる項目追加処理手段、（１３）削除項目入力手段に入力された項目及びそれに対応する評価点数を項目記憶手段から削除する項目削除処理手段、（１４）項目記憶手段に記憶されている、利用者によって選択された１つの項目の名称を、項目名称入力手段に入力された新しい名称に変更する項目名称変更処理手段、（１５）心身に係る複数の項目に対応する１日分の評価点数について所定の演算を行い、当該１日における総合評価を示す総合点数を算出する総合点数算出手段、及び、（１６）文章入力手段に入力された文章を日付に関連づけて文章記憶手段に記憶させる文章記憶処理手段として機能する。
【０１０１】
また、コメント及び折れ線グラフ表示画面Ｇ１１において表示する一覧表１１１０は、表表示形式に相当する。また、レーダーチャート及びコメント表示画面Ｇ１２において表示するレーダーチャート１２０８、並びに、レーダーチャート及び折れ線グラフ表示画面Ｇ１３において表示するレーダーチャート１３０８は、レーダーチャート表示形式に相当する。また、コメント及び折れ線グラフ表示画面Ｇ１１において表示する折れ線グラフ１１０９、並びに、レーダーチャート及び折れ線グラフ表示画面Ｇ１３において表示する折れ線グラフ１３０９は、折れ線グラフ表示形式に相当する。
【０１０２】
即ち、心身状態管理装置として動作する本実施形態のスマートフォン１は、（ａ）心身に係る複数の項目が記憶される項目記憶手段と、（ｂ）複数の項目のそれぞれについての１日毎の評価点数が利用者により入力される評価点数入力手段と、（ｃ）評価点数入力手段に入力された前記評価点数を、それに対応する項目及び日付に関連づけて項目記憶手段に記憶させる評価点数記憶処理手段と、（ｄ）項目記憶手段に記憶された複数の項目及びそれらに対応した評価点数を所定の表示形式で表示する表示手段と、（ｅ）利用者により日付が入力される日付入力手段と、を備え、（ｆ）表示手段が、所定の表示形式として、複数の項目及び該項目に対応する日付入力手段に入力された日付に係る１日分の評価点数を表で表示する表表示形式、及び、複数の項目及び該項目に対応する日付入力手段に入力された日付に係る１日分の評価点数をレーダーチャートで表示するレーダーチャート表示形式、を少なくとも含むように構成されている。そして、スマートフォン１は、複数の項目に追加する項目が利用者により入力される追加項目入力手段と、追加項目入力手段に入力された項目を複数の項目に追加して項目記憶手段に記憶させる項目追加処理手段と、複数の項目から削除する項目が利用者により入力される削除項目入力手段と、削除項目入力手段に入力された項目及びそれに対応する評価点数を項目記憶手段から削除する項目削除処理手段と、を備えている。
【０１０３】
また、スマートフォン１は、心身に係る複数の項目のうちの利用者によって選択された１つの項目についての新しい名称が当該利用者により入力される項目名称入力手段と、項目記憶手段に記憶されている上記１つの項目の名称を、項目名称入力手段に入力された新しい名称に変更する項目名称変更処理手段と、をさらに備えている。
【０１０４】
また、スマートフォン１は、利用者により心身に係る複数の項目についての表示順序が入力される表示順序入力手段をさらに備え、表示手段が、表表示形式及びレーダーチャート表示形式において表示順序入力手段に入力された表示順序で複数の項目及び該項目に対応した評価点数を表示するように構成されている。
【０１０５】
また、スマートフォン１は、心身に係る複数の項目に対応する１日分の評価点数について所定の演算を行い、当該１日における総合評価を示す総合点数を算出する総合点数算出手段をさらに備え、表示手段が、総合点数を表示するように構成されている。
【０１０６】
また、スマートフォン１は、表示手段が、表表示形式において、総合点数を評価点数とともに表示するように構成されている。
【０１０７】
また、スマートフォン１は、表示手段が、総合評価に対応する総合点数又は当該総合点数及び心身に係る複数の項目のうちの少なくとも１つの項目に対応する評価点数を、日付入力手段に入力された日付を含む所定期間について日付順にプロットしてそれぞれを結んだ折れ線グラフ表示形式で表示するように構成されている。
【０１０８】
また、スマートフォン１は、表示手段が、表表示形式、レーダーチャート表示形式及び折れ線グラフ表示形式のうちの２つ以上の表示形式を同時に表示するように構成されている。
【０１０９】
また、スマートフォン１は、任意のコメントが記憶される文章記憶手段と、利用者によりコメントが入力される文章入力手段と、文章入力手段に入力されたコメントを日付に関連づけて文章記憶手段に記憶させる文章記憶処理手段と、をさらに備え、表示手段が、表表示形式、レーダーチャート表示形式及び折れ線グラフ表示形式のいずれかとともに、日付入力手段に入力された日付に対応して文章記憶手段に記憶された文章を表示するように構成されている。
【０１１０】
以上より、本実施形態のスマートフォン１によれば、追加項目入力手段に、項目記憶手段に記憶される複数の項目に追加する項目が利用者によって入力され、項目追加処理手段が、追加項目入力手段に入力された項目を複数の項目に追加して項目記憶手段に記憶させる。また、削除項目入力手段に、複数の項目から削除する項目が利用者によって入力され、項目削除処理手段が、削除項目入力手段に入力された項目及びそれに対応する評価点数を項目記憶手段から削除する。このようにしたことから、心身に係る項目のうち、利用者において重要と考える項目（重要度の高い項目）を自由に追加できるとともに、利用者において重要でないと考える項目（重要度の低い項目）を自由に削除できる。そのため、特許文献１、２のようにあらかじめ項目が固定されている場合は、利用者にとって不要と思われる項目が１つでも含まれていると、その項目は利用者にとって邪魔になってしまい、入力作業に対する気力が低下して面倒になってしまうが、本発明のように、利用者自身の好みで自由に項目の追加削除を可能とすることで、入力作業に対する気力の低下を抑制して、心身に係る項目についての点数の入力作業を効果的に継続できる。
【０１１１】
また、スマートフォン１によれば、項目名称入力手段に、複数の項目のうちの利用者によって選択された１つの項目についての新しい名称が当該利用者により入力され、項目名称変更処理手段が、項目記憶手段に記憶されている利用者によって選択された１つの項目の名称を、項目名称入力手段に入力された新しい名称に変更する。このようにしたことから、利用者において既存の項目の名称を自由に変更することができるので、例えば、利用者の好みや実際の行動などに応じて、「睡眠」を「熟睡感」、「運動」を「散歩」に変更するなど、利用者によって当該項目により適した名称に変更することができ、当該項目の意味をより明確に把握することができる。そのため、入力作業に対する気力の低下をさらに抑制して、心身に係る項目についての点数の入力作業をより効果的に継続できる。
【０１１２】
また、スマートフォン１によれば、利用者により複数の項目についての表示順序が入力される表示順序入力手段をさらに備え、表示手段が、表表示形式及びレーダーチャート表示形式において表示順序入力手段に入力された表示順序で複数の項目及び該項目に対応した評価点数を表示するように構成されている。このようにしたことから、表表示形式及びレーダーチャート表示形式のうちの少なくとも１つにおいて自由に表示順序を変更することができるので、例えば、複数の項目を上から順に重要と思われる項目から並べたり、複数の項目のうち互いに関連性の高い項目を近づけて並べたりするなど、利用者の好みに応じて表示順序を変更することで、表示を見やすくすることができる。そのため、入力作業に対する気力の低下をさらに抑制して、心身に係る項目についての点数の入力作業をより効果的に継続できる。
【０１１３】
また、スマートフォン１によれば、複数の項目に対応する１日分の評価点数について所定の演算を行い、当該１日における総合評価を示す総合点数を算出する総合点数算出手段をさらに備え、表示手段が、総合点数を表示するように構成されている。このようにしたことから、複数の項目の評価点数を１つ１つ確認することなく、１つの評価点数によって１日の全体的な評価（傾向）を知ることができるので、利用者において心身の状態をより容易に把握することができる。
【０１１４】
また、スマートフォン１によれば、表示手段が、表表示形式において、総合点数を評価点数とともに表示するように構成されている。このようにしたことから、総合点数を、その算出の元となった複数の項目に対応した評価点数と並べて確認することができるので、例えば、評価点数が他の項目に比べて著しく異なる項目など、総合点数に大きく影響を与えた項目を把握することができる。そのため、利用者において心身の状態をより容易に把握することができる。
【０１１５】
また、スマートフォン１によれば、表示手段が、総合評価に対応する総合点数又は当該総合点数及び複数の項目のうちの少なくとも１つの項目に対応する評価点数を、日付入力手段に入力された日付を含む所定期間について日付順にプロットしてそれぞれを結んだ折れ線グラフ表示形式で表示するように構成されている。このようにしたことから、総合点数についてある程度連続した期間での変化を視覚的に確認することができるので、利用者において心身の状態をより容易に把握することができる。
【０１１６】
また、スマートフォン１によれば、表示手段が、各表示形式のうちの２つ以上の表示形式を同時に表示するように構成されている。つまり、表表示形式、レーダーチャート表示形式及び折れ線グラフ表示形式のうちの２つ以上の表示形式を組み合わせて同時に表示することができる。このようにしたことから、異なる表示形式を見比べることができるので、心身の状態を多面的に確認することができる。そのため、利用者において心身の状態をより容易に把握することができる。
【０１１７】
また、スマートフォン１によれば、任意のコメントが記憶される文章記憶手段と、利用者によりコメントが入力される文章入力手段と、文章入力手段に入力されたコメントを日付に関連づけて文章記憶手段に記憶させる文章記憶処理手段と、をさらに備え、表示手段が、各表示形式の表示とともに、日付入力手段に入力された日付に対応して文章記憶手段に記憶されたコメントを表示するように構成されている。このようにしたことから、ある日付における各表示形式の表示とともに、当該日付に対応して利用者が任意に入力したコメントを表示することができるので、利用者において入力したコメントはそのときの精神状態が反映されているので、当該日付における心身の状態をより正確に把握することができる。
【０１１８】
［５．実施形態の変形例］
以上、本発明について、好ましい実施形態を挙げて説明したが、本発明の心身状態管理装置は、上述した実施形態の構成に限定されるものではない。
【０１１９】
例えば、上述した実施形態では、図４に一例を示すデータ入力画面Ｇ１において心身に係る複数の項目について評価点数を入力する際に、評価点数入力画面Ｇ２を表示して評価点数を入力する構成であったがこれに限定されるものではない。例えば、評価点数入力画面Ｇ２にかえて数字入力のためのテンキーや数字のリストを表示して評価点数を入力するような構成としてもよい。
【０１２０】
または、図４に示すようなデータ入力画面Ｇ１に代えて、図３５に示すようなデータ入力画面Ｇ２１を用いて評価点数の入力を行う構成としてもよい。図３５のデータ入力画面Ｇ２１は、図４のデータ入力画面Ｇ１において、項目選択シンボル１０８を省略するとともに、表１０６をレーダーチャート入力欄２１０６に代え、それ以外はデータ入力画面Ｇ１と同一にしている。
【０１２１】
レーダーチャート入力欄２１０６では、情報保存部１３に記憶された心身に係る複数の項目に対応して放射状に伸びるレーダーチャート座標２１０６ａを表示し、レーダーチャート座標２１０６ａの先端に複数の項目の名称２１０６ｂを表示し、レーダーチャート座標１２０８ａに所定の既定値（デフォルト値）の評価点数をプロットした後それぞれを結んだグラフ２１０６ｃを表示する。そして、図３６に一例を示すように、利用者が、レーダーチャート入力欄２１０６のグラフ２１０６ｃについて評価点数を入力する項目に対応する座標上でドラッグすることにより評価点数を入力する。なお、図３６の手形Ｈは、グラフ２１０６ｃをドラッグしたことを説明するために便宜上記載しているものであって、実際にタッチパネル式ディスプレイ１０に表示されるものではない。
【０１２２】
つまり、表示手段（タッチパネル式ディスプレイ１０）が、評価点数入力手段（タッチパネル式ディスプレイ１０）への評価点数の入力に際して、心身に係る複数の項目に対応したレーダーチャート座標を表示し、評価点数入力手段が、利用者によって接触操作が入力された表示手段のレーダーチャート座標上の操作入力位置に基づいて複数の項目の前記評価点数が入力されるように構成されていてもよい。このようにすることで、利用者が、表示手段に表示されたレーダーチャートの座標を見ながら、当該表示手段に触って操作を入力することで、当該操作に応じた複数の項目の評価点数が入力されるので、入力作業が非常に容易になるとともに、レーダーチャートにおける各項目の全体的な傾向を把握しながら入力作業を行うことができる。そのため、入力作業に対する気力の低下をさらに抑制して、心身に係る項目についての点数の入力作業をより効果的に継続できる。
【０１２３】
また、上述した実施形態では、利用者によってのみ評価点数が入力される構成であったが、これに限定されるものではない。例えば、利用者が評価点数の入力を忘れてその日が過ぎてしまった場合、その日の日付の評価点数が未入力となってしまうが、このような場合に、その日の前日の評価点数をその日の評価点数として自動的に反映する構成としてもよい。つまり、過去の日付において評価点数が未入力の場合に、当該日付の前日の日付における心身に係る複数の項目の評価点数を、当該日付における心身に係る項目の評価点数として情報保存部１３に記憶させる構成としてもよい。このようにすることで、記録作業を忘れてしまった場合なども前日の評価点数を自動的に当日の評価点数とすることができ、評価点数の記録を継続することができる。
【０１２４】
また、上述した実施形態においては、心身状態管理装置をスマートフォンを用いて実現した構成について説明するものであるが、勿論、この構成に限定されるものではない。例えば、タブレット端末やパソコンなどを用いて心身状態管理装置を構成してもよく、又は、組込用マイクロコンピュータなどを用いて専用の心身状態管理装置を構成してもよい。
【０１２５】
なお、前述した実施形態は本発明の代表的な形態を示したに過ぎず、本発明は、実施形態に限定されるものではない。即ち、当業者は、従来公知の知見に従い、本発明の骨子を逸脱しない範囲で種々変形して実施することができる。かかる変形によってもなお本発明の心身状態管理装置の構成を具備する限り、勿論、本発明の範疇に含まれるものである。
【符号の説明】
【０１２６】
１        スマートフォン（心身状態管理装置）
１０      タッチパネル式ディスプレイ（表示手段、評価点数入力手段、日付入力手段、追加項目入力手段、削除項目入力手段、項目名称入力手段、表示順序入力手段、文章入力手段）
１３      情報保存部（項目記憶手段、文章記憶手段）
２０      制御部（評価点数記憶処理手段、項目追加処理手段、項目削除処理手段、項目名称変更処理手段、総合点数算出手段、文章記憶処理手段）
１１０９、１３０９  折れ線グラフ（折れ線グラフ表示形式）
１１１０  一覧表（表表示形式）
１２０８、１３０８  レーダーチャート（レーダーチャート表示形式）
Ｇ１      データ入力画面
Ｇ２      評価点数入力画面
Ｇ３      コメント入力画面
Ｇ４      項目編集画面
Ｇ５      個別編集画面
Ｇ６      表示順序リスト画面
Ｇ７      目標値リスト画面
Ｇ８      比率リスト画面
Ｇ９      新規項目追加画面
Ｇ１０    表示切替画面
Ｇ１１    コメント及び折れ線グラフ表示画面
Ｇ１２    レーダーチャート及びコメント表示画面
Ｇ１３    レーダーチャート及び折れ線グラフ表示画面
Ｇ２１    データ入力画面
Ｔ１      項目テーブル
Ｔ２      コメントテーブル
【図１】
2014225064.tif 000003
【図２】
2014225064.tif 000004
【図３】
2014225064.tif 000005
【図４】
2014225064.tif 000006
【図５】
2014225064.tif 000007
【図６】
2014225064.tif 000008
【図７】
2014225064.tif 000009
【図８】
2014225064.tif 000010
【図９】
2014225064.tif 000011
【図１０】
2014225064.tif 000012
【図１１】
2014225064.tif 000013
【図１２】
2014225064.tif 000014
【図１３】
2014225064.tif 000015
【図１４】
2014225064.tif 000016
【図１５】
2014225064.tif 000017
【図１６】
2014225064.tif 000018
【図１７】
2014225064.tif 000019
【図１８】
2014225064.tif 000020
【図１９】
2014225064.tif 000021
【図２０】
2014225064.tif 000022
【図２１】
2014225064.tif 000023
【図２２】
2014225064.tif 000024
【図２３】
2014225064.tif 000025
【図２４】
2014225064.tif 000026
【図２５】
2014225064.tif 000027
【図２６】
2014225064.tif 000028
【図２７】
2014225064.tif 000029
【図２８】
2014225064.tif 000030
【図２９】
2014225064.tif 000031
【図３０】
2014225064.tif 000032
【図３１】
2014225064.tif 000033
【図３２】
2014225064.tif 000034
【図３３】
2014225064.tif 000035
【図３４】
2014225064.tif 000036
【図３５】
2014225064.tif 000037
【図３６】
2014225064.tif 000038